(57)【要約】【課題】  石材の表面に装飾的彫刻図柄が施され、或る状況では装飾として視認される一方で、別の状況では視認されない状態になるといった二つの異なった状況を作り出し、バラエティに富んだ墓石類を実現すること。【解決手段】  石材の表面に文字、絵柄などが、１０分の数ミリメートル、もしくはそれ以下の深さに刻まれて成り、石材表面の前記文字、絵柄などに水をかけて水膜を形成したときに、それまで浮き出ていた前記文字、絵柄などが消えるように形成された彫刻図柄が施された墓石類である。刻印深さが浅いため、絵柄などに水をかけて水膜を形成したときに、それまで浮き出ていた前記文字、絵柄などが消えるという現象を生じさせる。【選択図】図２
0003166879.tif 000002
【実用新案登録請求の範囲】
【請求項１】
石材の表面に文字、絵柄などが、１０分の数ミリメートル、もしくはそれ以下の深さに刻まれて成り、石材表面の前記文字、絵柄などに水をかけて水膜を形成したときに、それまで浮き出ていた前記文字、絵柄などが消えるように形成された彫刻図柄が施された墓石類。
【請求項２】
石材の表面に、文字、絵柄などが深く刻まれた第１の彫刻図柄と、第１の彫刻図柄とは別に文字、絵柄などが浅く刻まれた第２の彫刻図柄とが彫刻された墓石類。
【請求項３】
第１の彫刻図柄は、石材表面から１ミリメートル、もしくはそれ以上の深さに刻まれて成り、第２の彫刻図柄は、石材表面から１０分の数ミリメートル、もしくはそれ以下の深さに刻まれて成ることを特徴とする請求項２記載の墓石類。
【請求項４】
第１の彫刻図柄と第２の彫刻図柄の刻印の深さの違いは、石材表面の前記第２の彫刻図柄に水をかけて水膜を形成したときに、それまで浮き出ていた彫刻図柄が消えるか否かにより決定されることを特徴とする請求項２記載の墓石類。
【請求項５】
第１の彫刻図柄には、少なくとも部分的に、彩色が施されていることを特徴とする請求項２乃至４のいずれかに記載の墓石類。
【考案の詳細な説明】
【技術分野】
【０００１】
本考案は、表面彫刻した墓石類、特に石材の表面に文字、絵柄などが深く刻まれた第１の彫刻図柄と、第１の彫刻図柄とは別に文字、絵柄などが浅く刻まれた彫刻図柄とが同じ石材の表面に彫刻された墓石類に関するものである。
【背景技術】
【０００２】
一般に、墓石や墓誌、或いは石灯籠などの墓石類には、その墓に葬られている人の名前や没年月日、或いは家名（〇〇家）の表示などが施されている。これらの人名、没年月日、家名の表示などは、記録として永く人の記憶に止められるよう、確実な刻印（深く彫り込まれた彫刻）により彫刻図柄（これを「記録的彫刻図柄」という）として彫り表され、長い年月を経ても容易には消えないようになっている。
【０００３】
また、近年にあっては、墓石類に装飾を施す意味で、上記人名、没年月日、家名の表示などといった記録的な事項の他に、装飾文字や花鳥風月といった絵柄などを彫刻図柄（これを「装飾的彫刻図柄」という）として表し、その墓に葬られている人の人柄や雰囲気を偲ばせることが行われることもある。このような装飾的彫刻図柄もまた、記録的彫刻図柄と同じではないが、或る程度確実な刻印（彫刻）により彫刻図柄として彫り表されるのが普通である。例えば、上記記録的彫刻図柄が石材の表面から数ミリメートル（ｍｍ）〜１センチメートル（ｃｍ）の深さに彫り込まれるのに対し、上記装飾的彫刻図柄は、記録性が重要でないこと及び製作が容易であること等の理由から、石材の表面から１ｍｍ〜数ｍｍの深さに彫り込まれるのが一般的である。
【０００４】
このような、装飾的彫刻図柄を施した墓石類としては、例えば特許文献１に記載されたものがある。
【先行技術文献】
【特許文献】
【０００５】
【特許文献１】特開２００１−０４９９０１号公報
【考案の概要】
【考案が解決しようとする課題】
【０００６】
しかしながら、従来の墓石類における装飾的彫刻図柄は、記録的彫刻図柄と同じではないといっても、装飾性を発揮するために、上述のように石材の表面から１ｍｍ〜数ｍｍの深さに彫り込まれる。したがって、装飾的彫刻図柄もまた、記録的彫刻図柄と同様、半永久的に石材の表面に彫刻図柄として存在し、石材を研削したりしない限り図柄を消すことはできない。
【０００７】
本考案はこのような従来の課題に鑑みなされたもので、本考案の目的は、石材の表面に装飾的彫刻図柄が施されているにも拘らず、その装飾的彫刻図柄が、或る状況では装飾として視認される一方で、別の状況では視認されない状態になり、図柄がある場合と、図柄がない場合の、二つの異なった状況を作り出すことにより、バラエティに富んだ墓石類を実現することにある。
【課題を解決するための手段】
【０００８】
上記の課題を解決するために、本考案は、石材の表面に文字、絵柄などが、１０分の数ミリメートル、もしくはそれ以下の深さに刻まれて成り、石材表面の前記文字、絵柄などに水をかけて水膜を形成したときに、それまで浮き出ていた前記文字、絵柄などが消えるように形成された彫刻図柄が施された墓石類を要旨とする。上記１０分の数ミリメートルとは、一例としては、１０分の１〜１０分の５ミリメートルを意味し、さらにこれ位の深さによる彫刻図柄の刻印は、石材表面の前記文字、絵柄などに水をかけて水膜を形成したときに、それまで浮き出ていた前記文字、絵柄などが消える、という現象を生じさせる。
【０００９】
また本考案は、石材の表面に、文字、絵柄などが深く刻まれた第１の彫刻図柄と、第１の彫刻図柄とは別に文字、絵柄などが浅く刻まれた第２の彫刻図柄とが彫刻された墓石類を要旨とする。このような墓石類において、第１の彫刻図柄は、石材表面から１ミリメートル、もしくはそれ以上の深さに刻まれて成り、第２の彫刻図柄は、石材表面から１０分の数ミリメートル、もしくはそれ以下の深さに刻まれて成るのが好ましい。また、第１の彫刻図柄と第２の彫刻図柄の刻印の深さの違いは、石材表面の前記第２の彫刻図柄に水をかけて水膜を形成したときに、それまで浮き出ていた彫刻図柄が消えるか否かにより決定されるようにすることもできる。さらに、第１の彫刻図柄には、少なくとも部分的に、彩色が施されていてもよい。これにより、墓石類の図柄に彩りを添えることができる。
【考案の効果】
【００１０】
本考案の墓石類では、上記の構成により、例えば、晴れた日中では、石材表面から１０分の数ミリメートル、もしくはそれ以下の深さに刻まれた彫刻図柄は、石材表面にはっきりと表示される。他方、雨が降ったりして墓石類の表面が濡れると、石材の表面に水の膜ができ、彫刻図柄が消える。また、晴れた日中においても、墓参などにより墓の関係者が墓石類に水をかけたりすると、石材の表面に水の膜ができ、彫刻図柄が消え、参拝が終わって帰る頃になると石材の表面が乾いて再び彫刻図柄が表れる。このように、墓石類の表面に図柄が表れたり、消えたりすることにより、バラエティに富んだ墓石類が実現される。
【００１１】
さらに、上述のような墓石類の表面に表れたり、消えたりする彫刻図柄と、永久的に消えることのない彫刻図柄を組み合わせて、消える彫刻図柄と消えない彫刻図柄で、異なった２つの場面を表すことができる。
【図面の簡単な説明】
【００１２】
【図１】本考案の一実施の形態における墓石類の一例を表す全体斜視図である。
【図２】上記実施の形態において、消える（浅く刻印された）彫刻図柄と消えない（深く刻印された）彫刻図柄が描かれた墓誌を示すもので、（ａ）は表面が乾いていて彫刻図柄全体が表れている状態を示す図であり、（ｂ）は水を掛けたことにより水に濡れた部分で彫刻図柄が消えた状態を示す図である。
【考案を実施するための形態】
【００１３】
この考案の一実施の形態について、図１乃至図３を参照しながら説明する。図１において、符号１は墓石類全体を示す。２は下台（芝台ともいう）であり、墓石の基礎をなす。３は下台２に載置された中台であり、その上に上台４と竿石５とが載置されて墓石の基本構造を形成している。竿石５の根元部分、上台４との境部分には蓮華６が設けられている。墓石の前方位置には水鉢７、花立８が配置され、さらにその前側には拝石（敷板石）９と、その上に設置された香炉１０とが配置されている。墓石の前方の側方位置には墓前燈籠１１と、墓誌１２が配置され、最前方位置には墓への入口を標す親柱１３が配置されている。また、墓石の後方位置には塔婆立１４が配置される一方、上記親柱１３から塔婆立１４に至るまで墓の区域の四周を囲むようにして外柵１５が設けられている。そして、この明細書においては、以上の墓を構成する各部材２〜１５を墓石類と称し、そのほとんどが石材から成る。
【００１４】
本実施の形態において、彫刻図柄は、主としては竿石５や上台４、或いは墓誌１２に刻印されるが、その他の部材に刻印されてもよい。彫刻図柄のうち、従来からある彫刻図柄は、石材の表面に文字、絵柄などが、石材表面から１ミリメートル（ｍｍ）、もしくはそれ以上の深さに刻まれて成る。このような図柄の１つは、例えば竿石５に刻まれた家名などの文字であり上述の記録的彫刻図柄に相当し、これは数ｍｍ〜１ｃｍの切込み幅及び深さに刻印される。さらに墓石類に装飾を施すために絵や模様といった装飾的彫刻図柄が刻まれ、これらの図柄は１〜３ｍｍの切込み幅及び深さの溝を形成する要領で刻まれる。本実施の形態では以上の図柄を第１種の彫刻図柄とする。
【００１５】
本考案では上記第１種の彫刻図柄とは異なる第２種の彫刻図柄が墓石類に刻まれる。この第２種の彫刻図柄は、上述の石材の表面に文字、絵柄などの装飾的彫刻図柄が、１０分の数ｍｍ、もしくはそれ以下の幅及び深さに刻まれて成る。上記１０分の数ｍｍとは、一例としては、１０分の１〜１０分の５ｍｍを意味する。また、この刻印深さは、石材表面の前記第２の彫刻図柄に水をかけて水膜を形成したときに、それまで浮き出ていた彫刻図柄が消える（視認できなくなる）程度の深さでもある。第２種の彫刻図柄は切刃物や針状工具、電動研削工具などの道具を使って刻印操作されるが、この図柄彫り作業は刻印深さが小さいため機械化は難しく、主として手作業で行われる。この第２種の彫刻図柄の彫り作業は、例えば、石材表面に細かい間隔で形成された点々穴、引掻き傷、或いは細線（いずれも上記のような１０分の数ｍｍの深さである）により形成、表現される。
【００１６】
なお、第１種の彫刻図柄及び第２種の彫刻図柄ともに、少なくとも部分的に、彩色を施すことも可能である。ここで、彫刻図柄への着色について説明すると、第１種の彫刻図柄の場合は、数ｍｍ〜１ｃｍの切込み幅及び深さに刻印されるものであり、彫刻部分の彫り口が滑らかであるので、その彫り口に染料や塗料を塗布しても短期間（数年）で色が落ちてしまう。他方、本実施の形態による第２種の彫刻図柄の場合は、彫刻部分の彫り口が上記点々穴、引掻き傷、或いは細線から成り、細かい凹凸が出来ているので、その彫り口に染料や塗料を塗布した場合その染料や塗料が長時間にわたり彫刻部分の彫り口に留まり、１０年或いはそれ以上の期間色落ちすることがない。また、本実施の形態による第２種の彫刻図柄を彫る作業は、主として手作業で行われるものであるから、墓石類のある場所へ行って作業することができる。また、手作業ということから、作業対象（墓石など）の面が平面であろうとアーチ形、円筒形、など湾曲していようと、どのような部位であっても第２種の彫刻図柄を彫る作業を行うことができる。この点において、本実施の形態による第２種の彫刻図柄を彫る作業は、例えばレーザー加工装置により彫刻図柄を彫る場合などのように、装置のある場所まで墓石類を運搬する必要があったり、また、平面部位には彫刻できるが、湾曲部分には彫刻できないといった問題は起こらず、機械加工の場合よりも有用性が高い。
【００１７】
図２は、一例として、墓誌１２に上記第１種の彫刻図柄と第２種の彫刻図柄を刻印して図柄を描いた例を示す。図２（ａ）は第１種の彫刻図柄と第２種の彫刻図柄を刻印した全体の図柄を示す。図柄の内容としては、図柄２０は岩山を表し、図柄２１は花木を表し、図柄２２は小鳥を表しており、図柄２０の岩山に図柄２１の花木が繁り、その花木に図柄２２の小鳥が留まろうとしている情景を表している。一般にこのような全体図柄は晴れた日中などにはっきりと表れ、全体図柄のどの部分が第１種の彫刻図柄で、どの部分が第２種の彫刻図柄であるのかは明確に視認することはできない。この状態で、雨が降ったりして墓誌１２（墓石類）の表面が濡れると、墓誌１２の表面に水の膜ができ、第２種の彫刻図柄が消える。また、晴れた日中においても、墓参などにより墓の関係者が墓誌１２に水をかけたりすると、墓誌１２の表面に水の膜ができ、第２種の彫刻図柄が消える。
【００１８】
図２（ｂ）は上述のように墓誌１２が雨に濡れたり、或いは水２３を掛けられたことにより第２種の彫刻図柄が消えた状態を示す。すなわち、水２３を掛けられたことにより水膜２４ができ第２種の彫刻図柄のみが消えている。この第２種の彫刻図柄の消え具合により、どの部分が第２種の彫刻図柄であるかが分かる。図２の例では、図柄２０の岩山は第２種の彫刻図柄で表され、図柄２１の花木は下部の図柄２１ａの花木部分が第１種の彫刻図柄で表される一方、上部の図柄２１ｂの花木部分が第２種の彫刻図柄で表され、また図柄２２の小鳥は第１種の彫刻図柄で表されていることが分かる。そして、墓誌１２の表面が水に濡れている間は図２（ｂ）の彫刻図柄が表れており、参拝が終わって帰る頃になると墓誌１２の表面が乾いて再び図２（ｂ）の彫刻図柄が表れる。このように、墓誌１２の表面に図柄が表れたり、消えたりすることにより、バラエティに富んだ図柄を楽しめる墓誌１２が実現される。
【産業上の利用可能性】
【００１９】
墓石類の石材の表面に装飾的彫刻図柄が施され、或る状況では装飾として視認される一方で、別の状況では視認されない状態になるといった二つの異なった状況を作り出し、バラエティに富んだ墓石類を実現できる。状況によって図柄が変わるので、種々の図柄を楽しめるという有用性がある。
【符号の説明】
【００２０】
１  墓石類
２  下台
３  中台
４  上台
５  竿石
６  蓮華
７  水鉢
８  花立
９  拝石（敷板石）
１０  香炉
１１  墓前燈籠
１２  墓誌
１３  親柱
１４  塔婆立
１５  外柵
２０，２１，２２  図柄
２４  水膜
【図１】
0003166879.tif 000003
【図２】
0003166879.tif 000004